(57)【要約】【課題】  連写撮影が行われていることを撮影者に認識させること、及び表示装置上に表示されている被写体が連写撮影時に見難くなるのを防止することの両方を実現できるようにする。【解決手段】  撮像手段の撮像状態に応じて擬似シャッター幕生成手段及び画像合成手段の動作を可変制御するようにして、１秒間に撮影可能な静止画枚数が多くなってきている。したがって、１秒間に撮影可能な静止画枚数が多くなっても、液晶モニター上に表示されている被写体が擬似シャッター幕により覆われてしまう不都合を可及的に減少させて、高速連写での被写体の視認性が格段に損なわれないようにする。【選択図】  図２
2006191170.tif 000002
【特許請求の範囲】
【請求項１】
静止画撮影を行うことが可能な撮像装置であって、
被写体を撮影して画像信号を生成する撮像手段と、
前記撮像手段により撮影された被写体像を表示装置に表示する画像表示手段と、
前記撮像手段により被写体を撮影している時に、前記表示装置に擬似シャッター幕を表示するための擬似シャッター幕信号を生成する擬似シャッター幕生成手段と、
前記撮像手段により生成された画像信号と、前記擬似シャッター幕生成手段により生成された擬似シャッター幕信号とを合成する画像合成手段と、
前記撮像手段、擬似シャッター幕生成手段及び画像合成手段の動作を制御する動作制御手段とを有し、
前記動作制御手段は、前記撮像手段の撮像状態に応じて前記擬似シャッター幕生成手段及び前記画像合成手段の動作を可変制御することを特徴とする撮像装置。
【請求項２】
前記動作制御手段は、前記撮像手段が高速で連写撮影を行っている時においても、静止画像が１枚撮影されるごとに前記擬似シャッター幕を生成するように前記擬似シャッター幕生成手段を制御するとともに、前記撮像手段が行っている連写撮影の速度に応じて、前記表示装置に表示する擬似シャッター幕の輝度または色を制御することを特徴とする請求項１に記載の撮像装置。
【請求項３】
前記動作制御手段は、前記撮像手段が行っている連写撮影の速度に応じて、前記表示装置に表示する撮影画像と前記擬似シャッター幕との合成比率を変化させるように前記画像合成手段の動作を制御することを特徴とする請求項１または２に記載の撮像装置。
【請求項４】
前記動作制御手段は、前記撮像手段が連写撮影を行っている時には、前記擬似シャッター幕と前記撮影画像との合成比率を５０：５０にするように前記画像合成手段を制御することを特徴とする請求項１〜３の何れか１項に記載の撮像装置。
【請求項５】
前記動作制御手段は、ＡＥＢ連写連写時には明るさ補正に応じて、前記擬似シャッター幕を白、グレー、黒の何れかに変えるように前記擬似シャッター幕生成手段を制御することを特徴とする請求項１に記載の撮像装置。
【請求項６】
前記動作制御手段は、前記撮像手段が連写を行っている時に、撮影可能な残り枚数が少なくなった場合には、前記表示装置に表示する擬似シャッター幕の色または輝度を変化させるように前記擬似シャッター幕生成手段を制御することを特徴とする請求項１に記載の撮像装置。
【請求項７】
静止画撮影が可能な撮像手段を用いた撮像装置の制御方法であって、
前記撮像手段により被写体を撮影して画像信号を生成する撮像工程と、
前記撮像手段により撮影された被写体像を表示装置に表示する画像表示工程と、
前記撮像手段により被写体を撮影している時に、前記表示装置に擬似シャッター幕を表示するための擬似シャッター幕信号を生成する擬似シャッター幕生成工程と、
前記撮像手段により生成された画像信号と、前記擬似シャッター幕生成工程により生成された擬似シャッター幕信号とを合成する画像合成工程と、
前記撮像手段、擬似シャッター幕生成工程及び画像合成工程の動作を制御する動作制御工程とを有し、
前記撮像手段の撮像状態に応じて前記擬似シャッター幕生成工程及び前記画像合成工程の動作を可変制御することを特徴とする撮像装置の制御方法。
【請求項８】
前記撮像手段が高速で連写撮影を行っている時においても、静止画像が１枚撮影されるごとに前記表示装置に表示する擬似シャッター幕を生成するとともに、前記撮像手段が行っている連写撮影の速度に応じて、前記表示装置に表示する擬似シャッター幕の輝度または色を制御することを特徴とする請求項７に記載の撮像装置の制御方法。
【請求項９】
前記撮像手段が行っている連写撮影の速度に応じて、前記表示装置に表示する撮影画像と前記擬似シャッター幕信号との合成比率を変化させることを特徴とする請求項７または８に記載の撮像装置の制御方法。
【請求項１０】
前記撮像手段が連写撮影を行っている時には、前記表示装置に表示する擬似シャッター幕と前記撮影画像との合成比率を５０：５０にすることを特徴とする請求項７〜９の何れか１項に記載の撮像装置の制御方法。
【請求項１１】
前記撮像手段がＡＥＢ連写連写を行っている時には、明るさ補正に応じて、前記擬似シャッター幕を白、グレー、黒の何れかに変えることを特徴とする請求項７に記載の撮像装置の制御方法。
【請求項１２】
前記動作制御工程は、連写時に撮影可能な残り枚数が少なくなった場合には、前記擬似シャッター幕の色または輝度を変化させることを特徴とする請求項７に記載の撮像装置の制御方法。
【請求項１３】
静止画撮影が可能な撮像手段を用いた撮像装置の制御方法をコンピュータに実行させるコンピュータプログラムであって、
被写体を撮影して画像信号を撮像手段により生成する撮像工程と、
前記撮像手段により撮影された被写体像を表示装置に表示する画像表示工程と、
前記撮像手段により被写体を撮影している時に、前記表示装置に擬似シャッター幕を表示するための擬似シャッター幕信号を生成する擬似シャッター幕生成工程と、
前記撮像手段により生成された画像信号と、前記擬似シャッター幕生成工程により生成された擬似シャッター幕信号とを合成する画像合成工程と、
前記撮像手段、擬似シャッター幕生成工程及び画像合成工程の動作を制御する動作制御工程とを有し、
前記撮像手段の撮像状態に応じて前記擬似シャッター幕生成工程及び前記画像合成工程の動作を可変制御する撮像装置の制御方法をコンピュータに実行させることを特徴とするコンピュータプログラム。
【請求項１４】
前記請求項１３に記載のコンピュータプログラムを記録したことを特徴とするコンピュータ読み取り可能な記録媒体。
【発明の詳細な説明】
【技術分野】
【０００１】
本発明は撮像装置及び撮像装置の制御方法に関し、特に、静止画撮影機能を有するデジタルカメラで静止画を連続撮影するために用いて好適な技術に関する。
【背景技術】
【０００２】
最近のデジタルカメラシステムでは、撮影者に静止画撮影のレリーズボタンの押下時に、銀塩カメラのように擬似シャッター幕を表示すると同時にメカニカルなシャッター音も出力し、撮影者に静止画撮影を実感できるようにしているものが多くなってきている（例えば、特許文献１を参照）。
【０００３】
また、単に静止画撮影をするだけでなく、連続して静止画撮影可能な連写機能や、自動的に露出を「＋」方向、または「−」方向に振って撮影を行うＡＥＢ(オートエクスポージャーブラケット)機能などの多彩な機能を備えているものが最近は増えてきている。
【０００４】
また、連写時には単写時の擬似シャッター幕効果をそのまま利用しているものや、連写の１枚目のみ擬似シャッター幕の合成を行い、２枚目以降では擬似シャッター幕を表示しないものなどがある。
【０００５】
【特許文献１】特開２０００−１８４２４０号公報
【発明の開示】
【発明が解決しようとする課題】
【０００６】
上述した擬似シャッター幕による効果は、単写時にはどの瞬間に静止画撮影がなされたかを撮影者が認識でき非常に有効であるが、連写静止画撮影時には擬似シャッター幕は、撮影が行われる度に開閉するため、液晶モニター上に表示されている被写体を遮ってしまい、撮影者は連写撮影中の動く被写体を追いかけて撮影する場合などでは、擬似シャッター幕が邪魔になって被写体を認識しにくいといった課題があった。
【０００７】
特に、ここ最近では連写の高速化が進んでおり、１秒間に撮影可能な静止画枚数が多くなってきている。したがって、１秒間に撮影可能な静止画枚数が多くなればなるほど、液晶モニター上に表示されている被写体が擬似シャッター幕により覆われてしまうことになる。このため、高速で連写撮影を行うと、作業者が被写体を認識できない時間が増えるため、高速連写静止画撮影での被写体の視認性は格段に損なわれてしまうことになる。
【０００８】
上述のような不都合を回避するために、連写時の１枚目のみ、擬似シャッター幕を液晶モニター上に表示するものもあるが、このようにすると、どの時点で連写撮影が終わったかを撮影者が認識し難く、これにより、「連写撮影における最後の大事なシーンを撮影することができなかった」、といった不都合が発生する可能性があった。
【０００９】
本発明は上述の問題点にかんがみ、連写撮影が行われていることを撮影者に認識させること、及び表示装置上に表示されている被写体が連写撮影時に見難くなるのを防止することの両方を実現できるようにすることを目的としている。
【課題を解決するための手段】
【００１０】
本発明の撮像装置は、静止画撮影を行うことが可能な撮像装置であって、被写体を撮影して画像信号を生成する撮像手段と、前記撮像手段により撮影された被写体像を表示装置に表示する画像表示手段と、前記撮像手段により被写体を撮影している時に、前記表示装置に擬似シャッター幕を表示するための擬似シャッター幕信号を生成する擬似シャッター幕生成手段と、前記撮像手段により生成された画像信号と、前記擬似シャッター幕生成手段により生成された擬似シャッター幕信号とを合成する画像合成手段と、前記撮像手段、擬似シャッター幕生成手段及び画像合成手段の動作を制御する動作制御手段とを有し、前記動作制御手段は、前記撮像手段の撮像状態に応じて前記擬似シャッター幕生成手段及び前記画像合成手段の動作を可変制御することを特徴としている。
【００１１】
本発明の撮像装置の制御方法は、静止画撮影が可能な撮像手段を用いた撮像装置の制御方法であって、前記撮像手段により被写体を撮影して画像信号を生成する撮像工程と、前記撮像手段により撮影された被写体像を表示装置に表示する画像表示工程と、前記撮像手段により被写体を撮影している時に、前記表示装置に擬似シャッター幕を表示するための擬似シャッター幕信号を生成する擬似シャッター幕生成工程と、前記撮像手段により生成された画像信号と、前記擬似シャッター幕生成工程により生成された擬似シャッター幕信号とを合成する画像合成工程と、前記撮像手段、擬似シャッター幕生成工程及び画像合成工程の動作を制御する動作制御工程とを有し、前記撮像手段の撮像状態に応じて前記擬似シャッター幕生成工程及び前記画像合成工程の動作を可変制御することを特徴としている。
【００１２】
本発明のコンピュータプログラムは、静止画撮影が可能な撮像手段を用いた撮像装置の制御方法をコンピュータに実行させるコンピュータプログラムであって、被写体を撮影して画像信号を撮像手段により生成する撮像工程と、前記撮像手段により撮影された被写体像を表示装置に表示する画像表示工程と、前記撮像手段により被写体を撮影している時に、前記表示装置に擬似シャッター幕を表示するための擬似シャッター幕信号を生成する擬似シャッター幕生成工程と、前記撮像手段により生成された画像信号と、前記擬似シャッター幕生成工程により生成された擬似シャッター幕信号とを合成する画像合成工程と、前記撮像手段、擬似シャッター幕生成工程及び画像合成工程の動作を制御する動作制御工程とを有し、前記撮像手段の撮像状態に応じて前記擬似シャッター幕生成工程及び前記画像合成工程の動作を可変制御する撮像装置の制御方法をコンピュータに実行させることを特徴としている。
【００１３】
本発明の記録媒体は、前記に記載のコンピュータプログラムを記録したことを特徴としている。
【発明の効果】
【００１４】
本発明によれば、撮像手段の撮像状態に応じて擬似シャッター幕生成手段及び画像合成手段の動作を可変制御するようにしたので、連写撮影の速度に応じた状態で擬似シャッター幕を画像表示上に表示することが可能となり、高速連写静止画撮影での被写体の視認性を大幅に向上させることができる。
【発明を実施するための最良の形態】
【００１５】
（第１の実施の形態）
以下、図面を参照しながら本発明の実施の形態を説明する。
図１は本実施の形態のデジタルカメラ（撮像装置）の構成例を示すブロック図である。図１において、１はピント合わせるためのフォーカスレンズである。フォーカスレンズ１を通過した光はＣＣＤ２の撮像面上に結像されて、電気信号に光電変換される。
【００１６】
このＣＣＤ２の撮像面上で光電変換された信号は基準クロックによって読み出され、ＣＤＳ・ＡＧＣ３でサンプル／ホールドされると同時に、システムコントローラ１２の制御より最適なゲインにコントロールされ、次に、Ａ／Ｄ変換器４で基準クロックに同期したデジタル信号に変換される。
【００１７】
Ａ／Ｄ変換器４においてデジタル信号に変換された画像信号Ｐ１は、次に、カメラ信号処理回路５に送られる。カメラ信号処理回路５に与えられた画像信号Ｐ１は様々な信号処理が施され、画像データＰ２が生成される。
【００１８】
カメラ信号処理回路５で生成された画像データＰ２は、メモリコントローラ６によりフレームメモリ７に一時的に保持される。後に別途説明するが、カメラ信号処理回路５には合成回路５ａ及び擬似シャッター幕生成回路５ｂ（図４を参照）が内蔵され、フレームメモリ７から読み出された画像データＰ２と、擬似シャッター幕生成回路５ｂで生成された擬似シャッター幕信号Ｐ３とが合成回路５ａにより合成される。
【００１９】
液晶ドライバ８は、カメラ信号処理回路５から出力される撮影画像データＰ４を液晶パネル９に表示するための信号に変換し、液晶パネル９に撮像画像として表示する。圧縮回路１０は、カメラ信号処理回路５から出力される静止画像データや動画像データをシステムコントローラ１２から指示される圧縮率で圧縮して圧縮画像データＰ５を生成し、これをメモリカード１１に記録する。
【００２０】
静止画／動画切り換えスイッチ１３は、被写体を撮影する際に静止画像として撮影するか、または動画像として撮影するかを決定するための手段として設けられているものである。静止画レリーズスイッチ１４は、静止画を撮影する時に、静止画の取り込むタイミングをシステムコントローラ１２に知らせるための入力手段である。システムコントローラ１２は、デジタルスチルカメラ全体動作を制御するための制御手段である。単写/連写/ＡＥＢ切り換えスイッチ１５は、静止画撮影時の単写/連写の切り替えと、明るさのパラメータを適正露光からオーバー（＋）／アンダー（−）に振って、連続撮影するためのＡＥＢ(オートエクスポージャーブラケット)を切り換えるためのスイッチである。
【００２１】
次に、図２のフローチャートを参照しながら本実施の形態のデジタルカメラの動作手順を説明する。なお、本実施の形態において、「連写モード」がレリーズスイッチを押し続けている間、複数コマの静止画を連続的に撮影する処理を行う撮影モードであり、「単写」がレリーズスイッチを押すごとに、１コマの静止画を撮影する処理を行う撮影モードであり、「ＡＥＢ連写」が露出の条件を自動的に替えながら複数コマの静止画（例えば、３コマの静止画）を連続的に撮影する処理を行う撮影モードである。
【００２２】
電源が投入されると、本実施の形態のシステムコントローラ１２はステップＳ２０１から処理が始まる。本実施の形態においては、デジタルカメラに電源が投入されている間は、これらのステップＳ２０１〜ステップＳ２１８までの処理は一定周期で繰り返し行われる。
【００２３】
ステップＳ２０１で動作が開始されると、次に、ステップＳ２０２に進み、静止画処理中か否かの判定を行う。この判定の結果、静止画撮影処理中でないときはステップＳ２０３に進み、静止画撮影モードか否かの判定を行う。この判定の結果、静止画撮影モードでないときはステップＳ２１８に進み、今回の処理を終了する。
【００２４】
一方、ステップＳ２０３の判定の結果、静止画撮影モードと判定された場合は、ステップＳ２０４に進み、連写静止画撮影モードか単写モードかの判定を行う。この判定は、単写／連写／ＡＥＢ切り換えスイッチ１５からの入力により行う。
【００２５】
ステップＳ２０４で単写モードと判定された場合はステップＳ２０８に進み、レリーズスイッチ１４が押下されたか否かの判定を行う。ステップＳ２０８の判定の結果、レリーズスイッチ１４が押下されていなければ、ステップＳ２１８に進み、今回の処理を終了する。
【００２６】
一方、ステップＳ２０８の判定の結果、レリーズスイッチ１４が押下されていれば、ステップＳ２０９に進み、単写用の擬似シャッター幕の色及び輝度の設定を行う。次に、ステップＳ２１０に進み、単写の静止画撮影処理をスタートさせる。次に、ステップＳ２１８に進み、今回の処理を終了する。
【００２７】
一方、ステップＳ２０４の判定の結果、連写静止画撮影モードと判定された場合は、ステップＳ２０５に進み、レリーズスイッチ１４が押下されたか否かの判定を行う。ステップＳ２０５の判定の結果、レリーズスイッチ１４が押下されていなければ、ステップＳ２１８に進み、今回の処理を終了する。
【００２８】
また、ステップＳ２０５の判定の結果、レリーズスイッチ１４が押下されていれば、ステップＳ２０６に進み、連写用擬似シャッター幕の設定を行う。そして、ステップＳ２０７に進み、連写静止画撮影処理をスタートさせ、ステップＳ２１８に進み、今回の処理を終了する。
【００２９】
一方、ステップＳ２０２の判定の結果、静止画撮影処理中と判定された場合はステップＳ２１１に進み、連写静止画撮影モードか単写モードかの判定を行う。この判定は、単写／連写／ＡＥＢ切り換えスイッチ１５からの入力に基いて行う。
【００３０】
ステップＳ２１１の判定の結果、単写モードと判定された場合は、ステップＳ２１５に進み、擬似シャッター幕が画面上部及び下部から徐々に画面を覆い、画面全体を覆った後はその逆の処理を行うようにする位置演算を行い、後述するカメラ信号処理回路５内の合成回路５ａに領域情報を伝達する。次に、ステップＳ２１６に進み、単写処理を行う。その後、ステップＳ２１８に進み、今回の処理を終了する。
【００３１】
また、ステップＳ２１１の判定の結果、連写静止画撮影モードと判定された場合はステップＳ２１２に進み、レリーズスイッチ１４が押下されているか否かの判定を行う。この判定の結果、レリーズスイッチ１４が押下されていなければ、撮影者により連写静止画撮影が終了されたと判定してステップＳ２１７に進み、連写静止画撮影処理の終了処理を行い、その後ステップＳ２１８に進み、今回の処理を終了する。
【００３２】
一方、ステップＳ２１２の判定の結果、レリーズスイッチ１４が押下されていれば、連写静止画撮影は継続されていると判定してステップＳ２１３に進み、擬似シャッター幕が画面上部及び下部から徐々に画面を覆い、画面全体を覆った後はその逆の処理を行うように位置演算を行い、後述するカメラ信号処理回路５内の合成回路５ａに領域情報を伝達する。次に、ステップＳ２１４に進み、連写静止画撮影処理を行い、その後ステップＳ２１８に進み、今回の処理を終了する。
【００３３】
以上説明したように、本実施の形態のデジタルカメラによれば、連写静止画撮影時には擬似シャッター幕を連写静止画用の半透明に設定し、連写静止画撮影時における被写体認識度を格段に上げるとともに、連写静止画撮影が行われていることを文字表示でなく、視覚的に認識できるように制御することができる。
【００３４】
これにより、連写撮影の速度に応じた状態で擬似シャッター幕を画像表示上に表示することが可能となり、高速連写静止画撮影での被写体の視認性を大幅に向上させることができる。
【００３５】
また、単写時には擬似シャッター幕を黒１００％に設定することにより、通常のシャッター幕効果を演出することができる。このように、デジタルカメラ内部の状態、すなわち、連写/単写の切り換え状態に応じて、擬似シャッター幕の色、輝度を可変することで、撮影者に被写体を認識しやすい擬似シャッター幕効果を提供することができる。
【００３６】
（第２の実施の形態）
次に、ＡＥＢ連写時のシステムコントローラ１２で行われる処理について、図３のＡＥＢ連写動作を表すフローチャートを元に説明する。
電源が投入されると、ステップＳ３０１からシステムコントローラ１２の処理が開始される。デジタルカメラに電源が投入されている間は、これらのステップＳ３０１〜ステップＳ３１８までの処理は一定周期で繰り返し行われる。
【００３７】
ステップＳ３０１で処理が開始されると、次に、ステップＳ３０２に進み、ＡＥＢ連写静止画処理中か否かの判定を行う。この判定の結果、ＡＥＢ連写処理中でないときはステップＳ３０３に進み、静止画撮影モードか否かの判定を行う。この判定の結果、静止画撮影モードでないときはステップＳ３１８に進み、今回の処理を終了する。
【００３８】
また、ステップＳ３０３の判定の結果、静止画撮影モードと判定された場合は、ステップＳ３０４に進み、単写／連写／ＡＥＢ切り換えスイッチ１５からの入力によりＡＥＢ連写モードか否かの判定を行う。ステップＳ３０４の判定の結果、ＡＥＢ連写モードと判定された場合はステップＳ３０５に進み、レリーズスイッチ１４が押下されたか否かの判定を行う。ステップＳ３０５の判定の結果、レリーズスイッチ１４が押下されていなければ、ステップＳ３１８に進み、今回の処理を終了する。
【００３９】
また、ステップＳ３０５でレリーズスイッチ１４が押下されていれば、ステップＳ３０６に進み、ＡＥＢ連写処理をスタートさせる。その後、ステップＳ３１８に進み、今回の処理を終了する。また、ステップＳ３０４でＡＥＢ連写モードでないと判定された場合にもステップＳ３１８に進み、今回の処理を終了する。
【００４０】
一方、ステップＳ３０２の判定の結果、静止画撮影処理中と判定された場合の説明を行う。ステップＳ３０２の判定の結果、ＡＥＢ連写処理中と判定された場合はステップＳ３０７に進み、ＡＥＢ静止画撮影１枚目の撮影かどうか否かの判定を行う。この判定の結果、１枚目の撮影と判定された場合は、ステップＳ３０８に進み、ＡＥＢ１枚目用擬似シャッター幕の色、輝度の設定を行う。
【００４１】
次に、ステップＳ３０９に進み、擬似シャッター幕が画面上部及び下部から徐々に画面を覆い、画面全体を覆った後はその逆の処理を行うように位置演算を行い、後述するカメラ信号処理回路５内の合成回路５ａに領域情報を伝達する。次に、ステップＳ３１０に進み、ＡＥＢ連写１枚目静止画撮影処理を行う。その後ステップＳ３１８に進み、今回の処理を終了する。
【００４２】
また、ステップＳ３０７の判定の結果、１枚目の撮影でないと判定された場合はステップＳ３１１に進み、ＡＥＢ連写２枚目の撮影かどうか否かの判定を行う。この判定の結果、２枚目の撮影と判定された場合は、ステップＳ３１２に進み、ＡＥＢ２枚目用擬似シャッター幕の色、輝度の設定を行う。次に、ステップＳ３１３に進み、擬似シャッター幕が画面上部及び下部から徐々に画面を覆い、画面全体を覆った後はその逆の処理を行うように位置演算を行い、後述するカメラ信号処理回路５内の合成回路５ａに領域情報を伝達する。次に、ステップＳ３１４に進み、ＡＥＢ連写２枚目静止画撮影処理を行う。その後ステップＳ３１８に進み、今回の処理を終了する。
【００４３】
また、ステップＳ３１１で２枚目の撮影でないと判定された場合はステップＳ３１５に進み、ＡＥＢ３枚目用擬似シャッター幕の色、輝度の設定を行う。次に、ステップＳ３１６に進み、擬似シャッター幕が画面上部及び下部から徐々に画面を覆い、画面全体を覆った後はその逆の処理を行うように位置演算を行い、後述するカメラ信号処理回路５内の合成回路５ａに領域情報を伝達する。次に、ステップＳ３１７に進み、ＡＥＢ連写３枚目静止画撮影処理を行う。その後ステップＳ３１８に進み、今回の処理を終了する。
なお、本実施の形態では、ＡＥＢ連写がオーバー、標準、アンダーの３枚連写について説明したが、もっと補正を細かくし、ＡＥＢ連写枚数が３枚以上であってもよい。
【００４４】
以上説明したように、ＡＥＢ連写においても、ＡＥＢ１枚目、ＡＥＢ２枚目、ＡＥＢ３枚目の擬似シャッター幕の色及び輝度設定をＡＥＢ明るさ補正の量に応じて、黒、グレー、白など、撮影者にイメージ的にわかりやすい擬似シャッター幕を設定することができる。
【００４５】
次に、カメラ信号処理回路５の詳細を図４に示す。図４に示したように、本実施の形態のカメラ信号処理回路５には擬似シャッター幕生成回路５ｂ及び合成回路５ａが内蔵されている。カメラ信号処理回路５で信号処理された画像データＰ２はフレームメモリ７にいったん蓄えられ、メモリコントローラ６を介して再びカメラ信号処理回路５に戻される。
【００４６】
この画像データＰ２と擬似シャッター幕生成回路５ｂから出力される擬似シャッター幕信号Ｐ３は合成回路５ａ内で合成され、液晶ドライバ８へと出力される。このとき、システムコントローラ１２は合成回路５ａへ合成領域の指示及び合成比率の情報を与え、擬似シャッター幕生成回路５ｂへは色、輝度情報を与えることにより、輝度、色、合成比率、合成領域の可変が可能となる。
【００４７】
これにより、デジタルカメラの内部状態によって、擬似シャッター幕の色、輝度及び合成比率を可変することにより、被写体の動作を撮影者に視覚的に認識させることが可能となる。例えば、連写撮影時には擬似シャッター幕と撮影画像との合成比率を５０：５０にすることにより、連写静止画撮影時に被写体を認識し難くなるといった課題を解決することができる。特に、ここ最近では連写の高速化が進んでおり、１秒間に撮影可能な静止画枚数が多ければ多いほど、擬似シャッター幕に覆われて被写体を認識できない時間が増えるため、高速連写静止画撮影での被写体の認識性は格段に損なわれてしまう、といった課題を解決することができる。
【００４８】
また、高速連写時においても１枚の撮影ごとに擬似シャッター幕を生成するので、どの時点で連写撮影が終わったかのを撮影者が容易に把握することができ、高速連写静止画撮影において最後の大事なシーンが撮れていなかった、といった不都合を防止することができる。
【００４９】
また、ＡＥＢ連写時には明るさ補正に応じて、擬似シャッター幕を白、グレー、黒などに変えるようにしたことにより、ＡＥＢ連写が行われていることが撮影者に視覚的に認識できる。
【００５０】
図５に、液晶パネル９に表示される擬似シャッター幕表示の一例を示す。
この画面において、擬似シャッター幕５１、５２が掛かっているＡ領域では撮影画像５３と擬似シャッター幕５１、５２とはシステムコントローラ１２の指示した合成比率にて合成されて出力される。また、擬似シャッター幕５１、５２の掛かっていないＢ領域では撮影画像５３が１００％出力されるように合成される。合成回路５ａにおいては、前述のような比率で擬似シャッター幕５１、５２と撮影画像５３とが合成されるように動作する。
【００５１】
本実施の形態においては、単写と連写における擬似シャッター幕の制御、及びＡＥＢ連写連写について具体的に説明したが、連写中においては、撮影済み枚数が撮影可能枚数に近づいてきたような場合は、液晶パネル９に表示する擬似シャッター幕５１、５２の色、輝度、合成比率を変えるなどして、キャラクタ表示ではなく擬似シャッター幕５１、５２の表示状態の変化を利用して、残りの撮影可能枚数が少なくなっていることを撮影者に視覚的に認識させるように制御してもよい。
【００５２】
このようにすることにより、連写時に撮影可能な残り枚数が少なくなった場合に、擬似シャッター幕の色や輝度を変化させて、撮影者に連写終了に近づいていることを視覚的に認識させることができる。
【００５３】
以上、説明したように、前記第１及び第２の実施の形態野撮像装置によれば、高速連写時においても１枚の撮影ごとに擬似シャッター幕を生成するので、どの時点で連写撮影が終わったかのを撮影者が容易に把握することができ、高速連写において最後の大事なシーンが撮れていなかった、といった不都合を防止することができる。
【００５４】
また、ＡＥＢ連写連写時には明るさ補正に応じて、擬似シャッター幕を白、グレー、黒などに変えるようにしたので、ＡＥＢ連写連写が行われていることが撮影者に視覚的に認識させることができる。
【００５５】
なお、上述した実施の形態においては、デジタルカメラについて説明したが、本発明の撮像装置は、デジタルカメラに限らず、デジタルビデオカメラ、カメラ付き携帯電話等の装置を含むものである。
【００５６】
（本発明に係る他の実施の形態）
上述した本発明の実施の形態における撮像装置を構成する各手段、並びに撮像装置の制御方法の各ステップは、コンピュータのＲＡＭやＲＯＭなどに記憶されたプログラムが動作することによって実現できる。このプログラム及び上記プログラムを記録したコンピュータ読み取り可能な記憶媒体は本発明に含まれる。
【００５７】
また、本発明は、例えば、システム、装置、方法、プログラムもしくは記録媒体等としての実施の形態も可能であり、具体的には、複数の機器から構成されるシステムに適用しても良いし、また、一つの機器からなる装置に適用しても良い。
【００５８】
なお、本発明は、前述した実施の形態の機能を実現するソフトウェアのプログラム（実施の形態では、図２及び図３に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００５９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６０】
その場合、プログラムの機能を有していれば、オブジェクトコード、インタプリター（interpreter）により実行されるプログラム、ＯＳに供給するスクリプトデータ等の形態であっても良い。
【００６１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６２】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００６３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６５】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００６６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００６７】
【図１】本発明の実施の形態を示し、デジタルカメラの要部構成例を示すブロック図である。
【図２】実施の形態におけるシステムコントローラの連写単写の動作を表すフローチャートである。
【図３】ＡＥＢ連写連写動作を表すフローチャートである。
【図４】擬似シャッター幕生成回路及び合成回路を説明するブロック図である。
【図５】液晶モニター上の擬似シャッター幕の表示例を示す図である。
【符号の説明】
【００６８】
１  フォーカスレンズ
２  ＣＣＤ
３  ＣＤＳ・ＡＧＣ
４  Ａ／Ｄ変換器
５  カメラ信号処理回路
５ａ  合成回路
５ｂ  擬似シャッター幕生成回路
６  メモリコントローラ
７  フレームメモリ
８  液晶ドライバ
９  液晶パネル
１０  圧縮回路
１１  メモリカード
１２  システムコントローラ
１３  静止画／動画切り換えスイッチ
１４  静止画レリーズスイッチ
１５  単写/連写/ＡＥＢ切り換えスイッチ
【図１】
2006191170.tif 000003
【図２】
2006191170.tif 000004
【図３】
2006191170.tif 000005
【図４】
2006191170.tif 000006
【図５】
2006191170.tif 000007